(57)【特許請求の範囲】
【請求項１】
眼鏡フレームに取り付けられるように構成された眼鏡用レンズを有する眼鏡用システムの設定を所定の着用者に応じて最適化するために、コンピュータ手段によって実行される方法であって、
−前記着用者の顔の３Ｄ画像を有する着用者データ（ＤＡ１）を前記コンピュータ手段に提供するステップと
−曲率を提示する前記眼鏡フレームの３Ｄ画像を有するフレーム・データ（ＤＡ２）を前記コンピュータ手段に提供するステップと
−ベベル、正面、及び背面を提示する前記眼鏡用レンズの３Ｄ画像を有するレンズ・データ（ＤＡ３）を前記コンピュータ手段に提供するステップと
−前記眼鏡用レンズと関連する前記眼鏡フレームに対する前記着用者の顔の各位置を有し、かつ前記着用者データ、フレーム・データ、及びレンズ・データに基づく位置データ（ＤＡ４）を生成するステップと、
−変更要求（ＲＥＱ）に基づいて、前記位置データ（ＤＡ４）を変更するために、製造され、かつ前記眼鏡フレームに取り付けられる予定の前記眼鏡用レンズの設定を変更するステップと
を有し、
前記眼鏡用レンズの設定を変更するステップは、
−前記眼鏡用レンズのベベルの前記３Ｄ画像を変更するステップと、
−前記眼鏡用レンズの正面及び背面を変更するステップと、
−前記眼鏡フレームの曲率を変更するステップと、
−前記眼鏡用レンズに追加のファセットを追加するステップ
を有することを特徴とする方法。
【請求項２】
前記フレーム・データ（ＤＡ２）は、前記眼鏡フレームの溝、及び／又は柔軟性許容範囲の３Ｄ画像を更に有することを特徴とする請求項１に記載の方法。
【請求項３】
前記フレーム・データは、柔軟性許容範囲の限度内で前記眼鏡フレームを変形することによって変更されるフレーム・データ（ＤＡ２）変更ステップを更に有することを特徴とする請求項２に記載の方法。
【請求項４】
前記レンズ・データ（ＤＡ３）は、前記眼鏡用レンズのために、ベベル・トラベルの３Ｄ画像、及び／又は正面のベース・カーブ、及び／又は背面のベース・カーブ、及び／又は光学指数を更に有することを特徴とする請求項１〜３のいずれか１項に記載の方法。
【請求項５】
前記位置データ（ＤＡ４）を変更する前に、前記位置データ（ＤＡ４）が表示されることを特徴とする請求項１〜４のいずれか１項に記載の方法。
【請求項６】
前記位置データ（ＤＡ４）を変更するために、眼鏡用システムの少なくとも１つの設定が選択される選択ステップを更に有することを特徴とする請求項５に記載の方法。
【請求項７】
前記眼鏡用システムの前記設定は、仕上げパラメータ、及び／又は正面設計、及び／又は背面設計、及び／又は光学指数を前記眼鏡用レンズのために有し、
前記仕上げパラメータは、エッジング・パラメータ、及び／又はドリリング・パラメータ、及び／又はセンタリング・パラメータを有することを特徴とする請求項１〜６のいずれか１項に記載の方法。
【請求項８】
前記眼鏡用システムの前記設定は、前記眼鏡フレームの正面のベース、及び／又は背面のベースを更に有することを特徴とする請求項１〜７のいずれか１項に記載の方法。
【請求項９】
・着用者の顔の３Ｄ画像を有する着用者データ（ＤＡ１）と、
・眼鏡フレームの３Ｄ画像を有するフレーム・データ（ＤＡ２）と、
・眼鏡用レンズのペアの各レンズの３Ｄ画像を有するレンズ・データ（ＤＡ３）と
を受信するとともに、前記眼鏡用レンズと関連する前記眼鏡フレームに対する前記着用者の顔の各位置を有する位置データ（ＤＡ４）を生成するために、前記着用者データ、フレーム・データ及びレンズ・データを関連付け可能な処理手段を有することを特徴とする請求項１〜８のいずれか１項に記載の方法を実行するためのコンピュータ手段。
【請求項１０】
前記位置データを表示可能な表示手段を更に有することを特徴とする請求項９に記載のコンピュータ手段。
【請求項１１】
コンピュータに請求項１〜８のいずれか１項に基づく方法を実行させるための命令を有することを特徴とするコンピュータ端末のプロセッサ装置のメモリ内、又は前記コンピュータ端末のプロセッサ装置の読取装置と連携可能なリムーバブル・メモリ媒体内に保存可能なプログラム。
【請求項１２】
提供手段と、コンピュータ手段とを有し、
前記提供手段は、
・前記着用者の顔の３Ｄ画像を有する着用者データ（ＤＡ１）
・前記眼鏡フレームの３Ｄ画像を有するフレーム・データ（ＤＡ２）
・眼鏡用レンズのペアの各レンズの３Ｄ画像を有するレンズ・データ（ＤＡ３）
をコンピュータ手段に提供可能であり、
前記コンピュータ手段は、
・前記眼鏡用レンズと関連する前記眼鏡フレームに対する前記着用者の顔の各位置を有する、前記着用者データ、フレーム・データ、及びレンズ・データに基づく位置データ（ＤＡ４）を生成する処理と
・変更要求（ＲＥＱ）に基づいて、前記位置データ（ＤＡ４）を変更するために、製造され、かつ前記眼鏡フレームに取り付けられた前記眼鏡用レンズの設定を変更する処理と
を処理可能な第一処理手段を有する
ことを特徴とする請求項１〜８のいずれか１項に基づく方法を実行するためのサーバ。
【発明の詳細な説明】
【技術分野】
【０００１】
本発明は、眼鏡フレームに取り付けられた眼鏡用レンズを有する眼鏡用システムの設定を所定の着用者に応じて最適化するための、方法、コンピュータ・システム、ソフトウェア、及びサーバに関する。
【背景技術】
【０００２】
通常、眼鏡をかける必要があり、かつ眼科医又は他の公認のアイケア専門家により処方された処方箋を受け取る人は、将来の眼鏡フレームを選択するために眼鏡販売業者の店舗に出向く。将来的に前記眼鏡をかける人は、いくつかの眼鏡フレームを試着し、試着したフレームの中の１つを最終的に選択することができる。
【０００３】
通常、前記眼鏡販売業者は、前記選択された眼鏡フレームについて測定を実行する。これらの測定は、レンズが加工（edged）された状態で配送されるとき、前記レンズ注文を仕上げるために要求される場合がある。
【０００４】
通常、前記選択された眼鏡フレームの開口部（例えば、眼鏡レンズが取り付けられる予定の前記フレームの開口部）の内径は、機械センサによって、非常に正確に測定される。より詳細には、前記フレームの前記開口部は、内側の縁部を有するとともに、前記縁部の特徴（例えば、前記縁部の３Ｄ形状、前記開口部に対する傾斜角、前記縁部の深さ）は、測定室で機械センサによって測定される。前記選択されたフレームについて前記機械センサによって実行された測定は、一方では前記選択されたフレームに、かつ他方では前記着用者の処方箋に、適合する眼鏡用レンズの注文を可能にする。
【０００５】
更に詳細には、前記測定室で前記機械センサ及び前記眼鏡販売業者によって実行された測定に基づき、前記眼鏡販売業者、及び／又は前記レンズ提供業者は、
−仕上げ作業（例えば、形状、及び／又は仕上げオプション）を指定することと、
−前記選択されたフレームについて実行された機械的な測定に合致させるために、前記レンズの縁部をカットすることと、
−前記着用者の処方箋、及び前記選択されたフレームに適合する眼鏡レンズを提供することと、
が可能である。
【０００６】
前記レンズ提供業者は、提供しているレンズが、前記着用者の処方箋、及び前記選択されたフレームに適合することを保証しなければならない。例えば、前記レンズ提供業者は、将来的なレンズが、特別な開口部と縁部とを有する選択されたフレームに、有効に取り付け可能であるということを保証しなければならない。
【０００７】
従って、通常、前記レンズ提供業者は、適合されるレンズを提供するために、前記着用者の処方箋と前記選択されたフレームとを考慮に入れる。しかしながら、提供されたレンズは、前記着用者の処方箋に対応し、かつ完璧に前記眼鏡フレームに合致するが、その結果の眼鏡は、全体的には行き届いていないし（anaesthetic）、かつ非常に顧客の不満を生じてしまうということが起こる可能性がある。
【発明の概要】
【発明が解決しようとする課題】
【０００８】
本発明は、上記状況の改善が目的である。
【課題を解決するための手段】
【０００９】
本発明は、眼鏡フレームに取り付けられるように構成された眼鏡用レンズを有する眼鏡用システムの設定を所定の着用者に応じて最適化するために、コンピュータ手段によって実行される方法に関し、前記方法は、
−前記着用者の顔の３Ｄ画像を有する着用者データを、前記コンピュータ手段に提供するステップと、
−前記眼鏡フレームの３Ｄ画像を有するフレーム・データを、前記コンピュータ手段に提供するステップと、
−前記眼鏡用レンズの３Ｄ画像を有するレンズ・データを、前記コンピュータ手段に提供するステップと、
−前記眼鏡用のレンズと関連する前記眼鏡フレームに対する前記着用者の顔の各位置を有する、前記着用者データ、フレーム・データ、及びレンズ・データに基づく位置データを生成するステップと、
−変更要求に基づいて、前記位置データを変更するために前記眼鏡用システムの設定を変更するステップと
を有する。
【００１０】
好都合なことに、そのような方法は、眼鏡フレームに取り付けられる眼鏡用レンズを有する眼鏡用システムの設定を決定するときに、前記着用者の顔の３Ｄ画像を考慮に入れることを可能にする。特に、前記眼鏡用システムと前記着用者が前記眼鏡用システムを着用している際の着用者の顔との相対的な位置は、前記眼鏡用システムの設定を最適化する場合に、考慮されうる。
【００１１】
例えば、提供されたレンズの設定を計算する場合に、前記着用者の形態（morphology）を、前記レンズ提供業者によって考慮してもよい。さらにいえば、着用者の形態次第では、着用者が所定の眼鏡用システムを着用しているとき、着用者の頬又は眉が、前記眼鏡用レンズと接触するかもしれないので、ある者は、頬又は眉をより“目立たせる”ことがないようにすることができる。好都合なことに、本発明に基づく方法は、前記着用者の顔の形態を考慮するように、前記眼鏡用システムの設定を最適化するために使用してもよい。
【００１２】
単独で、又は組み合わせて考慮可能な更なる具体例によれば、：
−前記フレーム・データは、前記眼鏡フレームの溝（groove）、及び／又は柔軟性許容範囲の３Ｄ画像を更に有する；
−前記方法は、柔軟性許容範囲の限度内で前記眼鏡フレームを変形させることによって、前記フレーム・データが変更されるフレーム・データ変更ステップを更に有する；
−前記レンズ・データは、前記眼鏡用レンズのために、ベベル・トラベル（bevel travel）の３Ｄ画像、及び／又は正面のベース・カーブ（base curve）、及び／又は背面のベース・カーブ、及び／又は光学指数を更に有する；
−前記位置データを変更する前に、前記位置データが表示される；
−前記方法は、前記位置データを変更するために、選択された前記眼鏡用システムの少なくとも１つの設定である選択ステップを更に有する；
−前記眼鏡用システムの設定は、前期眼鏡フレーム、及び前記眼鏡用レンズの設定を有する；
−前記眼鏡用システムの設定は、前記眼鏡用レンズのために、仕上げパラメータ、及び／又は前記正面設計、及び／又は背面設計、及び／又は光学指数を有する；
−前記眼鏡用システムの設定は、前記眼鏡フレームのために、前記眼鏡フレームの正面のベース、及び／又は背面のベースを有する。
【００１３】
本発明は、本発明に基づく方法を実行するためのコンピュータ手段であって、前記コンピュータ手段は、前記眼鏡用レンズと関連する眼鏡フレームに対する前記着用者の顔の各位置を有する位置データを生成するために、前記着用者データ、フレーム・データ、及びレンズ・データを関連付け可能な処理手段を有する。
【００１４】
本発明に基づくコンピュータ手段は、前記位置データを表示可能な表示手段を更に有してもよい。
【００１５】
本発明はまた、コンピュータ端末の処理ユニットのメモリ内、又は前記コンピュータ端末の前記処理ユニットの読取装置と連携するように構成されたリムーバブル・メモリ媒体内に、保存可能なソフトウェア製品に関連する。前記ソフトウェア製品は、本発明に基づく方法を実行するための命令を有する。
【００１６】
本発明は、更に以下を有するサーバに関連する：
・前記着用者の顔の３Ｄ画像を含む着用者データと
・前記眼鏡フレームの３Ｄ画像を含むフレーム・データと
・眼鏡用レンズのペアの各レンズの３Ｄ画像を有するレンズ・データと
をコンピュータ手段に提供するために構成された提供手段、及び
・前記眼鏡用レンズと関連する眼鏡フレームに対する前記着用者の顔の各位置を有する、前記着用者データ、フレーム・データ、及びレンズ・データに基づく位置データを生成する処理と
・変更要求に応じ、前記位置データを変更するために前記眼鏡用システムの設定を変更する処理と
を処理可能な第一処理手段
本発明の非限定的な実施形態は、添付図面を参照しつつ、以下に記載される。
【図面の簡単な説明】
【００１７】
【図１】図１は、本発明の第一実施形態に基づく方法に含まれるステップのフロー・チャートである。
【図２】図２は、本発明の第二実施形態に基づく方法を有する注文処理に含まれるステップのフロー・チャートである。
【図３】図３は、本発明に基づく方法を実行するように構成されたコンピュータ手段の実施形態を概略的に示す図である。
【発明を実施するための形態】
【００１８】
本発明の意味において、前記の仕上げパラメータは、エッジング・パラメータ、及び／又はドリリング・パラメータ、及び／又はセンタリング・パラメータを有している。
【００１９】
特別に記載されていない限り、以降の記載内容から明らかなように、明細書の記載内容中では、“コンピュータ”・“計算”・“生成”又はそれと同類の用語の利用は、前記コンピュータシステムのレジスタ及び／又はメモリ内の物理的（例えば電子的な）量として表されるデータを、前記コンピュータシステムのメモリ・レジスタ又は他の同様の情報記憶装置・伝送装置又は表示装置内の物理量として同様に表される他のデータに、処理及び／又は変形させるコンピュータ又はコンピュータシステム又は同類の電子コンピュータ装置の動作及び／又は処理を参照するということが認められる。本発明の実施形態は、この中の演算を実行するための装置を具備していてもよいことが理解される。この装置は、所望の目的のために特別に構成されてもよいし、又は、それは、汎用目的のコンピュータ又は前記コンピュータ内に保存されたコンピュータ・プログラムによって、選択的に起動、又は再構築されるデジタル・シグナル・プロセッサ（“ＤＳＰ”）を具備していてもよい。そのようなコンピュータ・プログラムは、コンピュータ読取可能な記憶媒体、例えば、限定されないが、フロッピー（登録商標）ディスク、光学ディスク、ＣＤ−ＲＯＭ（登録商標）、磁気光学ディスク、読み出し専用メモリ（ＲＯＭ）、ランダム・アクセス・メモリ（ＲＡＭ）、電気的にプログラム可能な読み出し専用メモリ（ＥＰＲＯＭ）、電気的に消去及びプログラム可能な読み出し専用メモリ（ＥＥＰＲＯＭ）、磁気又は光学カードを含む任意のタイプのディスク、又は電気的命令を保存するのに適当であり、かつコンピュータ・システム・バスに接続可能な他の任意のタイプの媒体内に保存してもよい。本明細書に提示されている処理及び表示は、任意の特別なコンピュータ、又は他の装置に本質的に関連しない。種々の汎用目的のシステムが、本明細書の指示に基づくプログラムにとって使用可能であり、あるいは、所望の方法を実行するために、より特化した装置を構成することが好都合であると判明するかもしれない。種々のこれらのシステムのための前記所望の構成は、以下の記載内容で明らかになる。加えて、本発明の実施形態は、どのようなプログラミング言語にも準拠せずに記載されている。種々のプログラミング言語は、本明細書に記載されているような発明の命令を実行するために使用してもよいことが認められる。
【００２０】
図１は、本発明に基づく最適化方法のステップを図示している。
本発明の実施形態では、眼鏡フレームに取り付けられた眼鏡用レンズを有する眼鏡用システムの設定を所定の着用者に応じて最適化するための方法は、以下のステップを有している。
−前記着用者の顔の３Ｄ画像を有する、データＤＡ１又は着用者データの第一セットを前記コンピュータ手段に提供するステップＳ１１
−前記眼鏡フレームの３Ｄ画像を有する、データＤＡ２又はフレーム・データの第二セットを前記コンピュータ手段に提供するステップＳ１２
−前記眼鏡用レンズの３Ｄ画像を有する、データＤＡ３又はレンズ・データの第三セットを前記コンピュータ手段に提供するステップＳ１３
−前記眼鏡用レンズと関連する前記眼鏡フレームに対する前記着用者の顔の各位置を有する、前記着用者データ、フレーム・データ、及びレンズ・データに基づく位置データＤＡ４を生成するステップＳ１４
−例えば、前記着用者又は前記眼鏡販売業者に、前記位置データＤＡ４を送信するステップＳ１５
−例えば、前記着用者又は前記眼鏡販売業者から、前記変更要求ＲＥＱを受信するステップＳ１６
−例えば、前記フレームＤＡ２、及び／又はレンズＤＡ３のデータ・セットを介して、前記位置データＤＡ４を変更するために、前記眼鏡用システムの設定を変更するステップＳ１７
【００２１】
本発明の実施形態によれば、図１に図示されている方法は、確認ステップＳ１８を有してもよい。更には、変更要求ＲＥＱ、又は無変更要求を受信する前記ステップＳ１６は、所定時間後に受信してもよい。その後、前記フレーム及びレンズのデータは、前記確認ステップＳ１８を介して確認される。
【００２２】
前記確認ステップＳ１８は、前記眼鏡フレーム及び前記眼鏡用レンズの選択を確認するために、確認注文ＶＡＬを前記レンズ提供業者に送信するステップを有している。
【００２３】
好都合なことに、図１に図示されている方法によれば、前記着用者又は前記眼鏡販売業者は、前記変更要求を介して前記着用者の選択により良く対応するために、前記眼鏡用システムの設定を変更してもよく、それゆえ、前記着用者の不満の危険性を減らす。
【００２４】
前記変更ステップＳ１６中に変更される可能性のある前記眼鏡用システムの設定は、前記眼鏡フレーム、及び／又は前記眼鏡用レンズの設定を有している。
【００２５】
前記眼鏡フレームの設定は、例えば、前記眼鏡フレームの柔軟性許容範囲の限度内で変形される前記眼鏡フレームの正面及び背面の曲率を有している。
【００２６】
変更可能な眼鏡用レンズの設定は、前記終了パラメータ、及び／又は前記正面設計、及び／又は前記背面設計、及び／又は前記光学指数、及び／又は追加ファセット、及び／又は前記眼鏡用レンズ・ベベルの３Ｄ画像を有している。
【００２７】
前記変更ステップＳ１６中の本発明の実施形態によれば、前記眼鏡用システムの設定は、最初に前記眼鏡用レンズのベベルの３Ｄ画像を変更し、かつ次に、前記眼鏡用レンズの正面及び背面の変更し、かつ最後に、前記眼鏡用レンズへ追加のファセットを追加することによって、変更される。
【００２８】
好都合なことに、発明者は、そのような注文において前記設定を変更することは、前記着用者、及び／又は前記眼鏡販売業者を満足させるためになされる設定の変更数を軽減するということを認識する。
【００２９】
本発明に基づく眼鏡用システムの設定を最適化するための方法は、図２に図示されているように注文方法を介して使用してもよい。
【００３０】
図２の注文方法は、本発明に基づく眼鏡用システムの設定を最適化するための方法を有する。
【００３１】
眼鏡着用の必要があり、かつそれ故に眼科医によって処方された処方箋を有する着用者は、着用を希望する眼鏡フレームを選ぶために、眼鏡販売業者の店舗に出向く。一旦前記着用者が眼鏡フレームを選んでしまうと、前記販売業者は、例えば、測定方法、又はデータベースの使用を介して、その選択された眼鏡フレームの３Ｄ画像を決定する。
【００３２】
また、眼鏡販売業者は、前記着用者の顔の３Ｄ画像を決定する。前記着用者の顔の３Ｄ画像は、例えば、前記着用者の正面及び側面の顔の写真撮影を有する測定方法を介して、又は他の任意の手段によって決定することができる。
【００３３】
図２に図示されている注文方法は、前記着用者の処方箋ＰＲＥＳを第一コンピュータ手段に提供するステップＳ２１と、前記着用者によって選択された眼鏡フレームの３Ｄ画像を有するデータＤＡ２又はフレーム・データの第二セットを前記第一コンピュータ手段に提供するステップＳ２２とを有する。
【００３４】
前記第一コンピュータ手段は、その後、前記着用者の処方箋と、前記処方箋データＰＲＥＳ及び前記データＤＡ２又はフレーム・データの第二セットを使用する前記選択されたフレームとに適合する眼鏡用レンズの３Ｄ画像を有する、データＤＡ３又はレンズ・データの第三セットを生成することができる。
【００３５】
任意の方法で、例えば、前記眼鏡フレームの柔軟性許容範囲の限度内で、前記選択された眼鏡フレームの正面又は背面の曲率を変更することによって、処理ステップＳ２３は、前記データＤＡ２又はフレーム・データの第二セットを変更する処理を有してもよい。
【００３６】
ステップＳ２３を介して、前記フレーム・データＤＡ２、及びレンズ・データＤＡ３は、第二コンピュータ手段に提供される。
前記注文方法は、前記着用者の顔の３Ｄ画像を有する、データＤＡ１又は着用者データの第一セットを前記第二コンピュータ手段に提供するステップＳ２４をさらに有する。
【００３７】
前記着用者データ、フレーム・データ、及びレンズ・データは、前記着用者データ、フレーム・データ、及びレンズ・データに基づく位置データＤＡ４を生成するために、関連付けステップＳ２５中で関連付けられる。前記位置データＤＡ４は、前記眼鏡用レンズと関連する前記眼鏡フレームに対する前記着用者の顔の各位置を有する。前記位置データは、表示のために処理される。
【００３８】
前記注文ステップは、例えば、前記眼鏡用レンズと関連する眼鏡フレームを着用した着用者の顔の３Ｄ画像という形で、前記位置データＤＡ４が表示されるという特徴をもつ表示ステップＳ２６を有してもよい。
【００３９】
好都合なことに、前記着用者、及び／又は前記眼鏡販売業者は、前記眼鏡用レンズと関連する前記眼鏡フレームを着用した着用者の顔の３Ｄ画像の表示を介して、前記提案した眼鏡用レンズが前記着用者の判断基準（例えば、審美基準）を満たすかどうかを評価することができる。
【００４０】
例えば、前記着用者、及び／又は前記眼鏡販売業者は、前記着用者が前記眼鏡用レンズと関連する眼鏡フレームを着用しているとき、前記眼鏡用レンズは、前記着用者の顔、例えば、前記着用者の頬又は前記着用者の眉に接触するということを理解する可能性がある。
【００４１】
図２に図示されている注文方法は、変更要求ＲＥＱを受信する要求ステップＳ２７を有している。
【００４２】
変更要求ＲＥＱの受信に基づき、前記変更要求は、前記レンズ・データ、及び／又はフレーム・データを、ステップＳ２３を介して変更するために、前記第一コンピュータ手段に送信される。そのような変更は、前記眼鏡フレームの設定、及び／又は眼鏡用レンズの設定を変更する場合がある。そのような設定は、本発明に基づく方法の第一実施形態に基づいて説明されているように変更されてもよい。
【００４３】
無変更要求を受信する場合、又は無変更要求をステップＳ２７を介して受信する場合、前記注文方法は、前記注文ＯＲＤを前記レンズ提供業者に送信する注文ステップＳ２８を更に有する。そのような注文ＯＲＤは、前記提案された眼鏡用レンズの単純な確認という形をとってもよい。
【００４４】
図３に図示されているように、前記第一コンピュータ手段は、前記レンズ提供業者側においてサーバＳＥＲ内で実行してもよい。第二コンピュータ手段にネットワークＮＥＴを介して接続されている前記サーバは、前記眼鏡販売業者側においてコンピュータ端末ＰＣ内で実行してもよい。
【００４５】
前記コンピュータ端末ＰＣは、スクリーン、又は前記位置データＤＡ４を表示可能な任意の表示手段を有していてよい。
【００４６】
好都合なことに、前記位置データＤＡ４の表示は、
−無論、未来の着用者によって着用される前記選択されたフレームに取り付けられたレンズについて、前記表示されたシミュレーション結果が十分であるかどうかを判断するための、前記眼鏡を提供する前記公認の眼鏡販売業者又は公認の任意のアイケア専門家
−前記未来の着用者自身、あるいは、
−例えば、フレーム・タイプに取り付けられたレンズ・タイプの結果をデータベースに保存するための、前記レンズ提供業者又は前記フレーム提供業者
によって、接続されることが可能である。
【００４７】
前記位置データの表示は、例えば、前記眼鏡販売業者又はアイケア専門家のウェブサイト・ページのリンク（例えば、“url”）を介して、アクセス可能な簡潔なコンピュータ・プログラム（又は、“アプレット”）であることが可能である。正確な認証コードの入力を要求する認証手続は、前記アプレットをダウンロードするために実行されてもよい。
【００４８】
前記コンピュータ手段の他の配置が可能である。例えば、前記第一及び第二コンピュータ手段は、前記眼鏡販売業者側におけるコンピュータ端末内で実行されてもよい。
【００４９】
本発明は、一般の発明概念を限定することなく、実施形態を用いて上記に記載されている。
【符号の説明】
【００５０】
ＤＡ１  着用者データ
ＤＡ２  フレーム・データ
ＤＡ３  レンズ・データ
ＤＡ４  位置データ
【図１】
0005539987.tif 000002
【図２】
0005539987.tif 000003
【図３】
0005539987.tif 000004